(57)【要約】膨張可能な小胞（Ａ，Ｂ，Ｃ，Ｄ）の配列機構を利用するマッサージ装置（１０）である。この配列機構は人体の一部と組み合わせて設置されるようになる。配列機構は、可撓性のベルト型の装置（１７２，２０８，２１０）のようなハウジング（１７２，１９０，２０８，２１０，２３０，２４０）内に設置されるか、あるいは、足首のような人間の四肢を収容するようにするために、１個以上のポケット１９２を中に組み込んだ堅固な立て型式の装置（１９０，２３０，２４０）から成る。分離型の膨張装置（１０，２３２）は、加圧空気を膨張可能な小胞へ供給したりそこから抜き出したりする前記配列機構と協働する。膨張装置は、少なくとも１つの対置ピストン集成体（７８，８０）を使用していて、１個のピストン（１００，１０２，１０８，１１０）が或る１つの小胞へ加圧空気を供給しているときに、別のピストンが別の或る小胞から加圧空気を抜き取っている、という状態になり、これによって、交互に圧縮及び収縮を一連に行う、望ましいマッサージ効果を人体に産出することを達成するものである。
2004517645.tif 000002
【特許請求の範囲】
【請求項１】
人体の一部に対して設置されるように構成された、複数個の空気膨張式小胞の配列機構と、
前記配列機構から離隔して設置され、前記配列機構へ接続されている膨張手段と、から成り、
前記膨張手段は、第１ピストン及び第２ピストンを含んでいる、少なくとも１つの対置ピストン集成体を含んでおり、前記第１ピストンが前記小胞の１つに加圧空気を供給するにつれて、前記第２ピストンが別の小胞から圧力を除去するようになることを特徴とする膨張式空気袋を使用するマッサージ装置。
【請求項２】
前記配列機構は、人体の一部に対して設置できるようになる柔軟なハウジングから成ることを特徴とする請求項１記載の膨張式空気袋を使用するマッサージ装置。
【請求項３】
前記ハウジングは、人体の一部の周囲に巻きつけて固定できるようになることを特徴とする請求項２記載の膨張式空気袋を使用するマッサージ装置。
【請求項４】
前記膨張手段は電気モータで作動されることを特徴とする請求項１記載の膨張式空気袋を使用するマッサージ装置。
【請求項５】
前記マッサージ装置が、更に、前記小胞の過剰膨張を防止するために、圧力放出装置を含んでいることを特徴とする請求項１記載の膨張式空気袋を使用するマッサージ装置。
【請求項６】
前記圧力放出装置は、前記第１ピストン及び前記第２ピストンの両方に配置されていて、各々のピストンにはそれぞれ別々に分離した圧力放出装置があることを特徴とする請求項５記載の膨張式空気袋を使用するマッサージ装置。
【請求項７】
ハウジング上に設置された複数個の膨張可能な小胞と、
前記小胞に接続された電気的に作動される膨張手段とから成り、
前記膨張手段は、空気を前記小胞へ加えることにより小胞を膨張させ、前記小胞から空気を抜くことによって小胞を収縮させるようにして、前記小胞を順番に膨張・収縮させるようにしたことを特徴とする請求項１記載の膨張式空気袋を使用するマッサージ装置。
【請求項８】
前記膨張手段は、第１ピストン及び第２ピストンを使用する対置ピストン集成対置ピストン機構からなり、前記第１ピストンが前記小胞の中へ空気を押し入れることによってで前記小胞を膨張している間、それと同時に、前記第２ピストンが別の小胞から空気を抜き取ることにより、前記小胞の内の少なくとも１つの小胞の収縮を起こすようにしたことを特徴とする請求項７記載の膨張式空気袋を使用するマッサージ装置。
【請求項９】
前記対置ピストン機構は、そのサイクルが９０°位相を異にしているように配置された１対の対置ピストン機構から成ることを特徴とする請求項８記載の膨張式空気袋を使用するマッサージ装置。
【請求項１０】
複数個の分離した導管の形態になる導管手段は、前記小胞及び前記膨張手段の間を接続しており、前記導管は、前記小胞の内の単独の小胞へ接続しており、前記膨張手段は複数個のコネクタを有し、その内の１個のコネクタに１本の導管が接続するというように、前記導管は前記コネクタへ接続してなり、前記導管は、前記小胞を膨張したり前記小胞を収縮したりする順番を変更できるように、前記コネクタと相互変更可能に接続できるようしたことを特徴とする請求項７記載の膨張式空気袋を使用するマッサージ装置。
【発明の詳細な説明】
【０００１】
【発明の属する分野】
本発明は、人体の一部に対してスムーズで心地良いマッサージ効果を達成しようとする目的のために、そして、血流を増加して筋肉及び結合組織を伸ばすようにする目的として、人体へ圧力をかけたり取り除いたりということを交互に行なうようにするためのマッサージ装置に関する。
【０００２】
【従来技術】
人体用のマッサージ装置は長らく知られているところである。これまで利用されてきたマッサージ装置の１つの形態としては、膨張式空気袋を使用しているものがある。マッサージ効果を繰り返すために、空気袋を人体にあてがって、膨張させたり収縮させたりするようにする。このような空気袋式マッサージ装置は、腰掛けたりうつ伏せになっている患者の下で圧力点を変えてゆくことに対しては、そしてまた、人体のある領域から血液を押出すようにしてから、再び毛細血管に血液を補給することによって血液循環を増進してゆくことに対しては、うまくいってきた。
【０００３】
しかし、マッサージ装置と組合せてこのような空気袋を膨張させたり収縮させたりする処理手順はかなり遅いと、考えられて来た。したがって、マッサージ装置の全体的効果を高め、血液循環をも高めるようにする膨張・収縮がもっと迅速になるようにさせるのが望ましい。従来のこのような膨張式マッサージ装置では、数々のセットにした膨張性小胞を使用することが知られている。１セットの小胞が膨らまされた場合、第２セットの小胞がしぼむようになっている。色々に異なるセットの小胞をこのように膨らませたりしぼませるために、個々のグループの小胞に対する制御弁を備えた、個別の膨張装置を利用してきた。このことが、そこに使用されていて、空気小胞の膨張及び収縮が最善の速度よりも本質的に遅いようにさせている構造を、非常に複雑にしているのである。
【０００４】
このような従来形の膨張式マッサージ装置の別の欠点は、各々の膨張と収縮行程が毎回ごとに必ずしも正確に同じ圧力まで加圧するとは限らない、ということである。
従来形の膨張式マッサージ装置の更なる欠点は、小胞が加圧状態になくなった時にその中身を周囲に漏れ出させる、というやり方でしか、小胞の収縮が達成されないことである。この収縮行程はゆっくりしていて、通常は、時間にして数秒から数分かかる。最高に望ましい効果を達成するには、膨張及び収縮は早くなくてはならない（大体、１秒から２秒）。
【０００５】
【発明の概略】
本発明の構造は、一連の膨張可能な小胞を含んでいる小胞配置を利用したマッサージ装置に関する。この一連の膨張可能な小胞は第１連及び第２連に分割されていて、第１連は、第２連が収縮している場合に、膨張されるようになり、逆もしかりである。膨張及び収縮は、空気が膨張中には２，３の小胞へ加圧されて、収縮中には２，３の小胞から絞り出されることによって、達成される。小胞配置は、例えば足のような人間の四肢へ接続されるようになるポケットを含んでいるパッドであるとか、可撓性のラップ（身体に覆い巻き付けるもの）とか、あるいは基部のような、様々な形態を取るハウジングに設置される。膨張装置は、電気モータによって駆動されるようになる、対置ピストン集成体の形態をしており、ピストンが一方向へ移動した時、第一連の小胞が膨張され、第二連の小胞が収縮される、というようになっている。ピストンが反対方向へ移動した場合には、これが逆になる。その結果、小胞から空気を絞り出すといったやり方で収縮が起きるので、素早い膨張及び収縮が得られるようになる。この対置ピストン設計が膨張及び収縮装置の複雑性を実質的に軽減するのである。２つの分離した対置ピストン機構を使用することによって、ピストンが４個あって、これらピストンは９０°位相を異にして位置付けられて、モータの上の積み込みを安定して行なうことができる。
【０００６】
本発明の目的の１つは、一連の膨張可能な小胞を使用した、非常に効果的なマッサージ装置を構成することで、膨張及び収縮を達成するのに利用されるこの装置は、簡単な構造にしてあり、それ故に適切な費用で製造することができ、従って、消費者に適切な価格で販売することができるものである。
【０００７】
本発明の別の目的は、迅速な膨張及び収縮を達成する膨張及び収縮に対するシステムを使用することである。
【０００８】
本発明の別の目的は、単一の簡単な手段を使用して、異なる効果を提供するために一連の小胞中の膨張及び収縮処理手順のパターンを変えることである。
【０００９】
【好ましい発明の実施形態】
図面の図１〜８及び図１６について具体的に説明すると、図面には、本発明のマッサージ装置１０の膨張及び収縮を達成するための機構を収容しているハウジング２０が示されている。ハウジング２０の外側表面には、持運び用ハンドル２２が設置されている。通常は、持運び用ハンドル２２は、ハウジング２０内に形成された窪み２１からの収容位置から、図面に示されているハウジング２０から伸出した位置へと、向きを変えるように設計されている。邪魔にならない位置へ廻せるようにハンドルを設計することは昔から知られていることであるから、本発明の特許要件を構成するものではない。ハウジング２０は内部室２４を含んでいる。内部室２４の内部には、冷却用のファン・ブレード２８へ接続されている電機モータ２６が設置されている。電機モータ２６は、ハウジング２０上に設置されていて本質的には内部室２４内に設置されているプッシュボタン式スイッチ２９へ、電気的に接続されるようになっている。外部電源から、プラグ３０を介して、電力が電気モータ２６へ供給される。スイッチ２９を付勢することで、モータ２６をオン／オフさせる。
【００１０】
モータ２６には出力シャフト３２があり、この出力シャフト３２にはプーリ３４が設置されている。プーリ３４と接続しているのはベルト３６である。また、ベルト３６はサイズが更に大きいプーリ３８へと接続されている。このプーリ３８は、１対の据付けプレート４２及び４４間に回転式に据え付けられている。据付けプレート４２及び４４はハウジング２０へしっかりと据付けられていて、内部室２４内に位置付けられている。
【００１１】
シャフト４０には、プーリ３８よりもサイズが小さいプーリ４６上に据え付けられている。ベルト４８がプーリ４６に係合している。ベルト４８は、また、プーリ４６よりもサイズがかなり大きいプーリ５０上に接続されている。プーリ５０は、据付けプレート４２及び４４間に回転式に据え付けられたシャフト５２へしっかりと据付けられている。プーリ５０及びプレート４２間で、シャフト５２に据付けられているのは、小サイズのプーリ５４である。シャフト５２には同一サイズのプーリ５６も配置されており、プーリ５０と据付けプレート４４間に位置付けられている。ベルト５８がプーリ５４に接続しており、ベルト６０がプーリ５６に接続している。また、ベルト５８は大きいサイズのプーリ６２に接続しており、ベルト６０は同様の大きいサイズのプーリ６４と接続している。プーリ６２及び６４は出力シャフト６６上にしっかりと固着されている。出力シャフト６６の一端はホイール１５８へ固着されており、出力シャフト６６の他端はホイール１５４へ固着されている。
【００１２】
ホイール１５４の中心から外れて、ジャック・シャフト７０が配置されている。また、ホイール１５８の中心から外れて、ジャック・シャフト６８が配置されている。ジャック・シャフト７０はクランク・アーム７４の細長いスロット７２内に設置されている。また、ジャック・シャフト６８も、クランク・アーム７６の、図示されていないが、同様な細長いスロット内に設置されている。クランク・アーム７６は対置ピストン機構７８の一部である。クランク・アーム７４は対置ピストン機構８０の一部である。対置ピストン機構７８及び８０は、基本的には同一状のものである。電気モータ２６が付勢されると、対置ピストン機構７８及び８０が継続的にピストン集成体と協働して、それぞれの対置ピストン機構７８，８０が継続的に往復動するようになる、ということは理解されよう。
【００１３】
対置ピストン機構８０は溝形の棒状部８２を含んでいる。この溝形部状部８２の脚部間には、１対のシリンダ８４及び８６が固着されている。シリンダ８４は内部室８８を含む。シリンダ８６も、内部室８８と同一構成になる内部室９０を含み、一直線に縦方向に整列している。同様に、据付けプレート４２にも溝形棒状部８２が固着されてあり、この溝形部状部８２の脚部間には、１対のシリンダ９２及び９４が固着されている。シリンダ９２には内部室９６がある。シリンダ９４には内部室９８がある。そしてまた、これら内部室９６及び９８は縦方向に整列している。シリンダ９２及び９４は対置ピストン機構７８の一部であり、シリンダ８４及び８６は対置ピストン機構８０の一部である。
【００１４】
内部室８６の内部には、ピストン１００が配置されている。内部室９０の内部には、ピストン１０２が配置されている。ピストン１００はピストンロッド１０４上に配置されている。そして、ピストンロッド１０４はクランク・アーム７４へしっかりと接続されている。ピストン１０２はピストンロッド１０６上に配置されている。そして、ピストンロッド１０６もクランク・アーム７４へしっかりと接続されている。同様に、内部室９６内部にはピストン１０８が配置されている。内部室９８にも同様のピストン１１０が配置されている。ピストン１００，１０２，１０８，１１０は全て同一構成である。ピストン１０８はピストンロッド１６８によってクランク・アーム７６へと接続されている。ピストン１７０はピストンロッド１７０によってクランク・アーム７６へと接続されている。
【００１５】
図１６に具体的にあるように、ピストン１０２の詳細な構造的特徴が示されており、ピストン１００，１０２，１０８，１１０は同様に構成されているということは、お分かり頂けよう。ピストン１０２は周囲縁に環状溝１１２を含んでいる。溝１１２内には、Ｏリング１１４が配置されている。このＯリング１１４は縦軸方向にサイズが長くなっている。Ｏリング１１４は、後壁及び前壁間で限定された量の縦方向への移動ができるようになっている。後壁１１６は円形ディスクの形態をしており、内部室９０の壁表面に環状隙間１２０として限定される僅かな空間を形成している。同様に、後壁１１８も基本的には円形ディスクの形態をしており、内部室９０の壁表面に関して環状隙間１２２を形成している。後壁１１６は完全に密の状態で、まったく開口などはない。しかし、前壁１１８は１対の開口１２４及び１２６を含んでいる。これら開口１２４及び１２６の機能は、本明細書でこれから説明されてゆくことになる。一般的には、これら開口１２４及び１２６は、幅１／４インチ以上にはならない。
【００１６】
ピストン１０２の本体内には、貫通孔１２８が形成されている。そして、この貫通孔１２８の内側表面と接続しているのが、環状室１３０である。環状室１３０はボール１３２に対する座を形成している。ボール１３２はコイル・スプリング１３４に接続している。コイル・スプリング１３４はスプリング・ハウジング１３６の内部に配置されている。スプリング・ハウジング１３６は１対の孔１３８及び１４０を含んでいる。
【００１７】
ピストン１００，１０２，１０８，１１０はそれぞれの内部室８８，９０，９６，９８内に可動に設置されている。内部室９０内で矢印１４２の方向へピストン１０２が圧縮移動する間に、Ｏリング１１４に対する内部室９０の壁面固有の抗力がＯリング１１４を直接後壁１１６に対して押しつけるようになる。圧力が内部室９０内で高まり始めると、この加圧空気が開口１２４及び１２６から溝１１２内まで伝わって、Ｏリングに対して圧力を加えるようになる。これによってＯリングが押し潰されるようになって、内部室９０の壁に対して、更により強力な密封状態を作り出し、Ｏリング１１４を通過した加圧空気が漏れるのを防止する。確立される力に対してコイル・スプリング１３４が予めセットされているので、内部室９０内の圧力が予定値を超えた時にのみ、ボール１３２が座から外れるようになり、これにより、過剰圧力を、開口１２８からピストン１０２の反対側へ放出するようにさせ、このようにして、圧力放出機構を構成するようになる。加圧空気は、貫通孔から通り過ぎた後、孔１３８及び１４０から導かれる。
【００１８】
圧力解除方向へピストン１０２が移動する間に、内部室９０の壁に対する抗力が、内部室９０内に収容された加圧空気からＯリングに対して加えられている空気圧を超えた時に、Ｏリング１１４が後壁１１６から離れてゆく。この時点で、Ｏリング１１４と内部室９０の壁との間の空間から成る、環状に形成された隙間１２０ができる。この環状隙間１２０は、内部室９０内の空気が周囲空気圧へ戻れるようにする。過圧力が起こるかもしれないのを防止するために、そして、最大限の圧力が生じるのを確実にするためには、矢印１４２方向である圧縮方向へ動き始めたときにはいつでも、上昇した圧力でも真空でもない周囲空気圧から始まるのが望ましい。
【００１９】
図２〜４を参照すると、ここには、対置ピストン機構８０は、ピストン１００が底部デッド中央位置にあり、図２ではピストン１０２が上部デッド中央位置にあるのを示している。内部室９０から、加圧空気がコネクタ１４６へ加えられ、吸引力が室８８からコネクタ１４８へ加えられる。同時に、低度の空気圧が内部室９８からコネクタ１５０へ加えられ、ほぼ同程度の圧力が内部室９６からコネクタ１５２へと加えられる。電気モータ２６が駆動されると、対置ピストン機構７８及び８０が往復動するように駆動され、ピストン機構８０がピストン機構７８と９０°位相を異にする。
【００２０】
９０°の位相関係とは、モータ上の荷重の平衡を取るというために、一般的には位相関係を１８０°異にしていることと対比して言及される。１８０°位相を異にするということはまた、優れたマッサージ効果をもたらすと共に、本発明の範囲内のものであるとみなされる、ということを理解されたい。ジャック・シャフト７０は、対置ピストン機構８０が、図２に示される位置から（これは下方向への移動の限界である）、図３に示される中間位置へ、そして、図４に示される上方位置へ、と移動されるようにする矢印１５６方向に回転するホイール１５４上に設置されている。ジャック・シャフト７０は、ホイール１５４が回転するたびに、細長いスロット７２の全長にわたって移動する。
内部室８８はコネクタ１４６と接続する導管１６０へ接続している。導管１６２は内部室９０と繋がり、コネクタ１４８へ接続している。導管１６４は内部室９６と繋がり、コネクタ１５０へ接続している。導管１６６は内部室９４と繋がり、コネクタ１５２へ接続している。
【００２１】
図９及び図１０について説明すると、ここには、人体１７４の周囲に巻き付けられるようになっている柔軟な腹巻式ラップ・ハウジング１７２が示されている。ラップ・ハウジング１７２は、人間１７４の背中の下方部へ収容されるように設計されている。ラップ・ハウジング１７２には、登録商標ベルクロの名の下に一般に販売されているようなファスナーを配置することによって接続されるようにして、共に固着されるようになる端部１７６及び１７８がある。ラップ・ハウジング１７２内には、小胞Ａ，Ｂ，Ｃ，Ｄが含まれている。各々の小胞はその形と同様にそのサイズもいろいろに変えられ得るけれども、ここでは同じサイズで円形をしている。小胞Ａが導管１８０へ接続されている。小胞Ｂが導管１８２へ接続されている。小胞Ｃが導管１８４へ接続されている。小胞Ｄが導管１８６へ接続されている。それぞれの導管１８０，１８２，１８４，１８６は、シュラウド１８７を通過して、コネクタ１８８に終端する。コネクタ１８８は、コネクタ１４６，１４８，１５０，１５２へ接続可能になっている。導管１８０はコネクタ１４６に接続し、導管１８２はコネクタ１４８に接続し、導管１８４はコネクタ１５０に接続し、導管１８６はコネクタ１５２に接続する。
【００２２】
図５〜８について説明する。対置ピストン機構７８及び８０が図５に示された位置にある場合、小胞Ａが加圧される。そして、空気は小胞Ｃからほとんど完全に除去されて、小胞Ｂ及びＤは各々、部分的に加圧される。対置ピストン機構７８及び８０が移動し続けるにつれて、加圧される次の小胞は小胞Ｂであり、小胞Ｄは完全に圧力解除されていて、小胞Ａ及びＣは部分的に加圧される。これは、図６に示されている。図７について説明すると、対置ピストン機構７８及び８０が移動し続けてゆくにつれて、小胞Ｃが完全に加圧されて、小胞Ａが完全に圧力解除される。そして、小胞Ｂ及びＤは部分的に加圧されている。図８について説明すると、その後、小胞Ｄが完全に加圧されて、小胞Ｂが完全に圧力解除される。小胞Ａ及びＣは部分的に加圧される。この一連の順番行程は、個々の小胞の加圧は数秒間だけ起きるというようにして、その順番を繰り返し続けてゆく。つまり、１０秒〜１５秒毎に、同じ小胞が再加圧されるという意味である。
膨張順序を変えるために、バルブを取り入れることができるということは、お分かりいただけよう。Ａ，Ｂ，Ｃ，Ｄの順序になる膨張行程に代えて、小胞は、Ａ，Ｄ，Ｂ，Ｃの順序であるとか、或いはＡ，Ｃ，Ｂ，Ｄの順序で膨張され得るようにもできる。
【００２３】
図１１に関して説明すると、ここには、足首マッサージ装置１９０が示されている。この足部マッサージ装置１９０は、人間が自分の足首１９４を挿入するようになる仕切り室１９２を含んでいる立て型の装置である。仕切り室１９２に連携して、複数個の小胞１９６が配置されていて、このような小胞の内、５個の小胞が図示されている。小胞１９６は対置ピストン膨張及び収縮装置１９８によって膨張されたり収縮されたりするもので、この装置は、足首マッサージ装置１９０内に設置されている。電源コード２００によって、電気が装置１９８に供給されるようになっている。装置１９８の付勢は、電力スイッチ２０２を押すことにより行なわれる。個々の小胞１９６と連結した熱源を含めるようにすることもできる。熱の操作はスイッチ２０４を付勢することによって行われる。
【００２４】
図１２を説明すると、図１１の立て型の装置ではない足首マッサージ装置の実施例２０６が示されている。この実施例２０６は、図１３にある足部材２２６上に設置された状態で示されている。実施例２０６は、２個の足首覆い式のラップ・ハウジング２０８及び２１０を利用する。個々のラップ・ハウジング２０８及び２１０は、複数個の小胞２１２を含んでいる。ラップ・ハウジング２０８内の小胞２１２は多数の小胞Ａ及びＣが割り当てられており、ラップ・ハウジング２１０の小胞２１２は多数の小胞Ｂ及びＤが割り当てられている。それぞれのラップ・ハウジング２０８および２１０は踵開口部２１４を含んでいる。Ａで示される小胞全てに導管２１６が接続されるようになる。Ｃで示される小胞全てに導管２１８が接続されるようになる。Ｂで示される小胞全てに導管２２０が接続されるようになる。Ｄで示される小胞全てに導管２２２が接続されるようになる。導管２１６及び２１８は、シュラウド２２１を通過した後、そして、導管２２０及び２２２は、シュラウド２２３を通過した後、全てそれぞれコネクタ１４６，１４８，１５０，１５２へ接続されるようになる。
【００２５】
使用者は、踵開口部２１４内に足首の踵を設置してから、ラップ・ハウジング２０８を自分の足首の回りに巻き付けて、ファスナー・パッド２２４でしっかりと固定する。ラップ・ハウジング２０８が片足に巻き付けられ、ラップ・ハウジング２１０がもう片方の足に巻き付けられるが、足の部分は図示されていない。対置ピストン機構７８，８０が移動することは、コネクタ１４６が小胞Ａ全てを膨張したり収縮することになり、コネクタ１４８が小胞Ｂ全てを膨張したり収縮することになるのである。コネクタ１５０はＣとふられた小胞の全ての膨張と収縮を起こし、コネクタ１５２はＤとふられた小胞の全ての膨張と収縮を起こす。機構の置換量は、収縮されるはずの小胞の容量に比例していなければならない。図１２に示された実施例において、結合された小さい方の小胞はピストン機構の出力置換量と相関関係にある。図１０を参照すると、小胞Ａ，Ｂ，Ｃ，Ｄの膨張順序は時計廻りになっている。図１２の膨張順序は、各々の足首に連携して、まさしく交互になっている。
【００２６】
図１４を参照すると、椅子２３０は、その製造時に、構造的に一連の小胞２２８が形成されるようにしてある。対置ピストン膨張及び収縮装置２３２は椅子２３０の構造内に設置されている。装置２３２の操作制御は、手動操作式コントローラ２３４によって行なわれる。
【００２７】
図１５について説明すると、ここでは、導管１６０，１６２，１６４，１６６をパッド２４０へ導くようにするチューブ２３８によって接続した、ハウジング２０のような分離式の装置が、椅子２３６と組み合わされている。パッド２４０は、複数個の小胞２４２を含んでいる。パッド２４０は、椅子２３６の座席領域内に設置できるように柔軟である。チューブ２３８は、ハウジング２０内に配置された対置ピストン機構７８及び８０へ、小胞２４２を接続する。
【図面の簡単な説明】
【図１】
本願発明のマッサージ装置の膨張及び収縮を達成するのに利用される機械的構成要素を示す膨張機構ハウジングの一部を切欠いた図である。
【図２】
第１位置にある対置ピストンを示す図１の２−２線に沿った断面図である。
【図３】
図２と同様な図であるが、同じ対置ピストン機構が第２位置にあるのを示している。
【図４】
図３と同様な図であるが、同じ対置ピストン機構が第３位置にあるのを示している。
【図５】
１対の対置ピストン機構が、本発明のマッサージ装置内で、数にして４個の別体の膨張可能な小胞の内の小胞Ａを完全に膨張する位置にあるのを示している、作動概略図である。
【図６】
図５と同様な図であるが、対置ピストン機構が膨張可能な小胞Ｂを完全に膨張する位置にあるのを示している。
【図７】
図６と同様な図であるが、対置ピストン機構が膨張可能な小胞Ｃを完全に膨張する位置にあるのを示している。
【図８】
図７と同様な動作概略図であるが、対置ピストン機構が膨張可能な小胞Ｄを完全に膨張する位置にあるのを示している。
【図９】
使用者である人の背中領域に適用するようにした本願発明のマッサージ装置内に設置された小胞ハウジングの図である。
【図１０】
図９に示された実施例のハウジング内に収容された膨張可能な小胞を示す膨張可能な小胞ハウジングの一部切り取り正面図である。
【図１１】
使用者である人の足部をマッサージするのに使用できる、立て型式のみのマッサージ装置の側面図である。
【図１２】
使用者である人間の足部に設置するようにしたラップ型の構造の斜視図であり、ラップ構造は一部を切欠いて示しており、各々のラップ構造は、足部にマッサージ効果を産出するために、順番に膨張したり収縮したりする、複数個の膨張可能な小胞を含んでいる。
【図１３】
図１２に示したラップ構造の内の１個を人間の足首に装着した状態にあるのを示す斜視図。
【図１４】
本願発明のマッサージ装置をその中に組み込んだ椅子の斜視図である。
【図１５】
典型的な椅子と組み合わせて用いるようになるパッドを示す斜視図である。
【図１６】
本願発明のマッサージ装置内に収容された対置ピストン機構に用いられるピストン及びシリンダーの一部拡大図である。
【図１】
2004517645.tif 000003
【図２】
2004517645.tif 000004
【図３】
2004517645.tif 000005
【図４】
2004517645.tif 000006
【図５】
2004517645.tif 000007
【図６】
2004517645.tif 000008
【図７】
2004517645.tif 000009
【図８】
2004517645.tif 000010
【図９】
2004517645.tif 000011
【図１０】
2004517645.tif 000012
【図１１】
2004517645.tif 000013
【図１２】
2004517645.tif 000014
【図１３】
2004517645.tif 000015
【図１４】
2004517645.tif 000016
【図１５】
2004517645.tif 000017
【図１６】
2004517645.tif 000018
【国際公開パンフレット】
2004517645.tif 000019
2004517645.tif 000020
2004517645.tif 000021
2004517645.tif 000022
2004517645.tif 000023
2004517645.tif 000024
2004517645.tif 000025
2004517645.tif 000026
2004517645.tif 000027
2004517645.tif 000028
2004517645.tif 000029
2004517645.tif 000030
2004517645.tif 000031
2004517645.tif 000032
2004517645.tif 000033
2004517645.tif 000034
2004517645.tif 000035
2004517645.tif 000036
2004517645.tif 000037
2004517645.tif 000038
2004517645.tif 000039
2004517645.tif 000040
【国際公開パンフレット（コレクトバージョン）】
2004517645.tif 000041
2004517645.tif 000042
2004517645.tif 000043
【国際調査報告】
2004517645.tif 000044